(57)【要約】【課題】尿漏れを抑制することができ、且つ装着作業が容易な男性用吸収性物品を提供すること。【解決手段】表面シート１１、裏面シート１２及びこれら両シート間に位置する吸収体１３を含む吸収性本体１０を備え、中央域Ｃ、前方域Ａ及び後方域Ｂを有している。吸収性本体１０の長手方向Ｘの両側部であって前記表面シートの肌対向面側に防漏カフ１６が配されている。防漏カフ１６は、長手方向Ｘにおける該防漏カフ１６の両端部間に、長手方向Ｘに沿う伸縮部Ｎを有している。男性用吸収性物品は、中央域Ｃ及び後方域Ｂの少なくとも一方における裏面シート１２の非肌対向面側の面が、接着領域１８となっており、該接着領域１８より前方域Ａ側における裏面シート１２の非肌対向面側の面が、非接着領域１７となっている。平面視して伸縮部Ｎは、少なくとも接着領域１８と非接着領域１７とに跨って存在している。【選択図】図５
2018102747.tif 000002
【特許請求の範囲】
【請求項１】
表面シート、裏面シート及びこれら両シート間に位置する吸収体を含む吸収性本体を備え、長手方向及び該長手方向に直交する幅方向を有し、該長手方向の中央に位置する中央域と、該中央域から該長手方向の前後それぞれに延出する前方域及び後方域とを有する男性用吸収性物品であって、
前記吸収性本体の前記長手方向に沿う両側部であって前記表面シートの肌対向面側に、防漏カフが配されており、
前記防漏カフは、前記長手方向における該防漏カフの両端部間に、前記長手方向に沿う伸縮部を有しており、
前記中央域及び前記後方域の少なくとも一方における前記裏面シートの非肌対向面側の面が、衣類に固定するための粘着部を有する接着領域となっており、該接着領域より前記前方域側における前記裏面シートの非肌対向面側の面が、前記粘着部を有しない非接着領域となっており、
平面視において、前記伸縮部が、少なくとも前記接着領域と前記非接着領域とに跨って存在している、男性用吸収性物品。
【請求項２】
自然状態において、前記非接着領域を有する部分が、前記伸縮部の収縮により、前記接着領域と前記非接着領域との境を折り目として折れ曲がった状態となっている、請求項１に記載の男性用吸収性物品。
【請求項３】
前記非接着領域を有する部分が、前記接着領域を有する部分と相対向するように折れ曲がった状態で使用される、請求項１又は２に記載の男性用吸収性物品。
【請求項４】
前記吸収体の非肌対向面側には、前記幅方向に延びる弾性体が伸張状態で配されており、
前記弾性体の収縮により、前記吸収性本体が前記幅方向に収縮可能な収縮領域を有している、請求項１〜３の何れか１項に記載の男性用吸収性物品。
【請求項５】
前記弾性体は、前記長手方向において、前記中央域に位置している、請求項４に記載の男性用吸収性物品。
【請求項６】
前記収縮領域が、該吸収体の前記幅方向の全域に亘っている、請求項４又は５に記載の男性用吸収性物品。
【請求項７】
前記幅方向に離間して形成された複数の前記収縮領域を有し、複数の該収縮領域の間は非収縮領域を形成しており、複数の前記収縮領域のそれぞれにおける前記弾性体は、該弾性体の肌対向面側に隣接する部材に接合されていない凸部形成領域と、該凸部形成領域の前記幅方向における両側に位置し、前記部材に接合されている固定領域とを有している、請求項４又は５に記載の男性用吸収性物品。
【請求項８】
前記吸収体は、平面視において前記弾性体と重なる部分が、該吸収体を厚み方向に貫通する貫通部及び／又は他の部分に比して低坪量の低坪量部を有している、請求項４〜７の何れか１項に記載の男性用吸収性物品。
【請求項９】
前記弾性体は、前記吸収体と前記裏面シートとの間に配されている、請求項４〜８の何れか１項に記載の男性用吸収性物品。
【発明の詳細な説明】
【技術分野】
【０００１】
本発明は、男性用吸収性物品に関する。
【背景技術】
【０００２】
下着の内側や、おむつ又はおむつカバーの内側に取り付けて、主として尿を吸収するタイプの吸収性物品が知られている。この種の吸収性物品のうち、男性用のものとして、例えば特許文献１には、液透過性のトップシートと、バックシートと、ギャザーシートとを備え、該ギャザーシートは男性性器を挿入するための開口を形成しており、前記トップシートを内側として折り返した排尿ポケット内の折り返し部分にて前記トップシートと前記ギャザーシートとの間に通液部が設けられた、男性用吸収パッドが記載されている。
【０００３】
特許文献２には、体液を吸収固定する吸収体本体を備え、該吸収性本体は屈曲構造部分を有しており、該屈曲構造部分を折り返し線とする折り返し部の両側縁部が接合されて袋状構造をなしている吸収体製品が記載されている。
【０００４】
特許文献３には、尿を吸収して保持するナプキン本体と、このナプキン本体の内面で着用者のペニスを包持し得るように当該ナプキン本体の形状を矯正し保持する保形部材とを具備してなるメンズナプキンが記載されている。
【先行技術文献】
【特許文献】
【０００５】
【特許文献１】特開２００４−３５１１３６号公報
【特許文献２】特開２００８−２３３６５号公報
【特許文献３】特開２０１５−１４２７５９
【０００６】
しかし、女性用の吸収性物品は、一般的に、着用時において着用者の排尿部と、尿などの排泄液を吸収する吸収体とが対向するのに対し、先に挙げた男性用吸収性物品は、着用者の排尿部と吸収体とが対向しないため、尿漏れを引き起こし易い。このような尿漏れを防止するため、吸収性物品を男性器に巻き付けるように直接装着して使用するものも知られているが、該吸収性物品を巻き付ける装着作業が簡便ではない。
【発明の概要】
【発明が解決しようとする課題】
【０００７】
したがって本発明の課題は、前述した従来技術が有する欠点を解消し得る男性用失禁パッドを提供することにある。
【課題を解決するための手段】
【０００８】
本発明は、表面シート、裏面シート及びこれら両シート間に位置する吸収体を含む吸収性本体を備え、長手方向及び該長手方向に直交する幅方向を有し、該長手方向の中央に位置する中央域と、該中央域から該長手方向の前後それぞれに延出する前方域及び後方域とを有する男性用吸収性物品であって、前記吸収性本体の前記長手方向に沿う両側部であって前記表面シートの肌対向面側に、防漏カフが配されており、前記防漏カフは、前記長手方向における該防漏カフの両端部間に、前記長手方向に沿う伸縮部を有しており、前記中央域及び前記後方域の少なくとも一方における前記裏面シートの非肌対向面側の面が、衣類に固定するための粘着部を有する接着領域となっており、該接着領域より前記前方域側における前記裏面シートの非肌対向面側の面が、前記粘着部を有しない非接着領域となっており、平面視において、前記伸縮部が、少なくとも前記接着領域と前記非接着領域とに跨って存在している、男性用吸収性物品を提供するものである。
【発明の効果】
【０００９】
本発明によれば、尿漏れを抑制することができ、且つ装着作業が容易な男性用吸収性物品が提供される。
【図面の簡単な説明】
【００１０】
【図１】図１は、本発明の男性用失禁パッドの一実施形態を示す斜視図である。
【図２】図２（ａ）は、図１に示す男性用失禁パッドをその表面シート側から見た平面図である。図２（ｂ）は、図１に示す男性用失禁パッドをその裏面シート側から見た平面図である。
【図３】図３は、図２（ａ）におけるＩ−Ｉ線断面図である。
【図４】図４は、図１に示す男性用失禁パッドの接着領域及び非接着領域を示す図である。
【図５】図５（ａ）は、図１に示す男性用失禁パッドを屈曲させる前の状態を示す平面図である。図５（ｂ）は、図５（ａ）に示す男性用失禁パッドの屈曲状態を示す平面図であり、図５（ｃ）は図５（ｂ）のＶ−Ｖ線断面図である。
【図６】図６（ａ）及び図６（ｂ）は、接着領域のバリエーションを示す平面図である。
【図７】図７は、本発明（第２発明）の男性用失禁パッドの別の実施形態を示す平面図である。
【図８】図８（ａ）は、図７のＩＩ−ＩＩ線断面図である。図８（ｂ）は、図８（ａ）の男性用失禁パッドによる男性器の固定状態を示す断面図である。
【図９】図９は、本発明の男性用失禁パッドの更に別の実施形態を示す平面図である。
【図１０】図１０（ａ）は、図９のＩＩＩ−ＩＩＩ線断面図である。図１０（ｂ）は、図１０（ａ）の男性用失禁パッドによる男性器の固定状態を示す断面図である。
【発明を実施するための形態】
【００１１】
以下本発明を、その好ましい実施形態に基づき図面を参照しながら説明する。図１及び図２には、本発明の男性用吸収性物品の一実施形態である男性用失禁パッド１を示している。この男性用失禁パッド１は、本発明の第１実施形態であり、長手方向Ｘ及びそれと直交する幅方向Ｙを有する縦長の形状を有している。男性用失禁パッド１は、図２に示すように、その長手方向Ｘに沿う中央に位置する中央域Ｃを有している。また中央域Ｃから長手方向Ｘの前後にそれぞれ延出する前方域Ａ及び後方域Ｂを有している。本実施形態において中央域Ｃは、男性用失禁パッド１をその長手方向に沿って三等分したときの中央に位置している。また、前方域Ａ及び後方域Ｂは、男性用失禁パッド１をその長手方向に沿って三等分したときに、中央域Ｃに隣接し、かつ長手方向Ｘに沿う端部にそれぞれ位置する部位である。男性用失禁パッド１は、着用者の前後方向に対応する長手方向Ｘと、男性用失禁パッド１を、図２に示すように平面状に広げた状態において、該長手方向Ｘと直交する幅方向Ｙとを有している。
【００１２】
男性用失禁パッド１は、表面シート１１、裏面シート１２及びこれら両シート１１，１２間に位置する吸収体１３を含む吸収性本体１０を備えている。表面シート１１は、男性用失禁パッド１の着用時に着用者の肌と対向する面側に位置している。裏面シート１２は、男性用失禁パッド１の着用時に着用者の肌から遠い側に位置する。肌対向面は、男性用失禁パッド又はその構成部材において、着用時に着用者の肌側に向けられる面であり、非肌対向面は、吸収性物品又はその構成部材において、着用時に着用者の肌側とは反対側に向けられる面である。
表面シート１１及び裏面シート１２としては、この種の吸収性物品に従来用いられている材料と同様のものを用いることができる。例えば表面シート１１としては、液透過性を有する不織布や穿孔フィルムなどを用いることができる。裏面シート１２としては、液不透過性である合成樹脂製のフィルムや、液難透過性である不織布などを用いることができる。また、裏面シート１２として、液不透過性である合成樹脂製のフィルムと、不織布との貼り合わせたシート材を用いることもできる。
【００１３】
男性用失禁パッド１は、中央域Ｃ及び後方域Ｂの少なくとも一方における裏面シート１２の非肌対向面側の面が、衣類に固定するための粘着部を有する接着領域１８となっており、該接着領域１８より前方域Ａ側における裏面シート１２の非肌対向面側の面が、粘着部を有しない非接着領域１７となっている。非接着領域１７は、接着領域１８よりも前方域Ａ側に位置している。男性用失禁パッド１を使用する際、該男性用失禁パッド１は、接着領域１８を介して、下着等の衣類に固定する他、おむつ又はおむつカバーの内面に固定しても良い。男性用失禁パッド１の使用前の状態において、この粘着部は、接着剤により形成されており、剥離可能な保護シート（図示せず）によって被覆されて保護されていることが好ましい。使用時には、保護シートを剥がして粘着部を下着等に固定する。
本実施形態において男性用失禁パッド１は、図４に示すように、厚み方向において吸収体１３と重なる部分に接着領域１８を有しているが、接着領域１８は、吸収体１３から長手方向Ｘ及び／又は幅方向Ｙに延出しても良い。
【００１４】
表面シート１１と裏面シート１２との間には吸収体１３が配置されている。吸収体１３は液保持性のものである。表面シート１１及び裏面シート１２は、吸収体１３の周縁から外方に延出しており、これらのシートの延出部位が互いに接合されることで、これらのシート間に吸収体１３が挟持される。吸収体１３は、主たる液保持部位である吸収性コア１３ａを有している。吸収性コア１３ａは、例えば親水性の繊維材料、例えばフラッフパルプ等のセルロース系繊維の積層体や、該親水性の繊維材料と、ヒドロゲル材料等の高吸収性ポリマーとの混合積層体を用いることができる。吸収性コア１３ａは、その一部又は全体が、ティッシュペーパーなどの液透過性シートからなるコアラップシート１３ｂで被覆されていてもよい。本実施形態では、図３に示すとおり、吸収体１３は、吸収性コア１３ａと、該吸収性コア１３ａの表面を被覆するコアラップシート１３ｂから構成されている。
【００１５】
吸収体１３における吸収性コア１３ａは、好ましくは長手方向Ｘにおける男性用失禁パッド１の概ね全長Ｌ、より好ましくは全長の８０〜９０％にわたって配置されており、吸収体１３の平面視での輪郭をなしている。そして、男性用失禁パッド１が、前方域Ａ、中央域Ｃ及び後方域Ｂに区分されるのに対応して、吸収性コア１３ａも、コア前方域１４Ａ、コア中央域１４Ｃ及びコア後方域１４Ｂに区分される。コア前方域１４Ａは、吸収性コア１３ａのうち、男性用失禁パッド１の前方域Ａに位置する領域である。コア中央域１４Ｃは、吸収性コア１３ａのうち、男性用失禁パッド１の中央域Ｃに位置する領域である。同様に、コア後方域１４Ｂは、吸収性コア１３ａのうち、男性用失禁パッド１の後方域Ｂに位置する領域である。
【００１６】
吸収体１３は、男性用失禁パッド１の装着状態において違和感が生じない程度に薄いものであることが好ましい。例えば圧力１９６ｃＮ／ｃｍ２下での吸収体１３の厚みは５ｍｍ以下であることが好ましく、４ｍｍ以下であることが更に好ましく、３ｍｍ以下であることが一層好ましい。厚みの下限値は１．５ｍｍであることが好ましい。吸収体１３における吸収性コア１３ａが、親水性の繊維材料及び高吸収性ポリマーを含む場合、該繊維材料の坪量は、１００ｇ／ｍ２以上２４０ｇ／ｍ２以下であることが好ましく、１２０ｇ／ｍ２以上２２０ｇ／ｍ２以下であることが更に好ましい。一方、高吸収性ポリマーの坪量は、４０ｇ／ｍ２以上１５０ｇ／ｍ２以下であることが好ましく、４０ｇ／ｍ２以上１２０ｇ／ｍ２以下であることが更に好ましい。
【００１７】
吸収性本体１０の長手方向Ｘに沿う両側部であって表面シート１１の肌対向面側には、防漏カフ１６が配されている。より具体的には、図１及び図２に示すように、男性用失禁パッド１は、その表面シート１１側において、幅方向Ｙの両側部の位置に、長手方向Ｘに延びる一対の防漏カフ１６，１６を備えている。防漏カフ１６，１６は、長手方向Ｘにおける該防漏カフ１６の両端部が、吸収性本体１０の一部に固定された端部固定部１６ｃを有している。本実施形態において、防漏カフ１６の前記両端部は、表面シート１１に、接着剤等の公知の手段で固定され、端部固定部１６ｃとなっている。端部固定部１６ｃは、平面視して、吸収性本体１０の長手方向Ｘの端部から、吸収体１３と重なる位置まで形成されていることが好ましい。防漏カフ１６は、長手方向Ｘに延びるシート材１６ａを有している。シート材１６ａは、長手方向Ｘに延びる一対の側部域のうち、幅方向Ｙの外方側に位置する側部域が、表面シート１１と接合されている（図３参照）。またシート材１６ａは、幅方向Ｙの内方側に位置する側部域の側縁の位置に、該側縁に沿って配されている弾性部材１６ｂを有している。
【００１８】
本実施形態の弾性部材１６ｂは、長手方向Ｘに沿う端部固定部１６ｃ間において部分的に伸張状態で配されている。具体的には、弾性部材１６ｂは、図４に示すとおり、接着剤等の公知の手段によって、シート材１６ａに複数箇所、伸張状態で固定された部分Ｎを有している。これにより、防漏カフ１６は、弾性部材１６ｂが伸張状態で固定された部分Ｎにおいて収縮性を有している。また、本実施形態の弾性部材１６ｂは、シート材１６ａに固定された部分間以外の部分では非伸張状態で配されており、該非伸張状態の部分では収縮性を有していない。シート材１６ａは、表面シート１１と接合されていない部位が、弾性部材１６ｂの収縮によって起立して、液抵抗性の防漏カフ１６が形成される。このように、防漏カフ１６は、長手方向Ｘにおける該防漏カフ１６の両端部間に、長手方向Ｘに沿って収縮性を有する伸縮部Ｎを有している。
【００１９】
上記の防漏カフ１６の伸縮部Ｎは、図４に示すように、平面視において少なくとも接着領域１８と非接着領域１７とに跨って存在している。より具体的には、図５（ａ）に示すように、伸張状態の弾性部材１６ｂが、長手方向Ｘに沿って、接着領域１８と非接着領域１７とに跨っている。ここで、「平面視において」とは、男性用失禁パッド１の各部の弾性部材を伸長させ、設計寸法（弾性部材の影響を一切排除した状態で平面状に広げたときの寸法と同じ）となるまで拡げた状態において厚み方向から見た状態をいう。斯かる構成により、防漏カフ１６の伸縮部Ｎ（弾性部材１６ｂ）が長手方向Ｘに収縮して、男性用失禁パッド１の前方域Ａが長手方向Ｘの内方へ引っ張られる。これにより、男性用失禁パッド１は、自然状態において図５（ｂ）及び（ｃ）に示すように、接着領域１８と非接着領域１７との境Ｅにおいて、幅方向Ｙに沿った折り目で屈曲し、肌対向面側に折り返される。折り返された状態において、前方域Ａと中央域Ｃとは着用者の男性器Ｐ部分に対応し、後方域Ｂは着用者の股下部分に対応する。このように屈曲した男性用失禁パッド１は、折り返し部分である前方域Ａと中央域Ｃとの間に、男性器Ｐを挟むようにして装着することができるため〔図５（ｂ）及び（ｃ）参照〕、排尿部を吸収体１３に対向させた状態で固定することができ、尿漏れの発生を効果的に抑制することができる。また、男性用失禁パッド１は、下着等の衣類やおむつに接着させて装着するため、装着作業が簡便である。
【００２０】
上記の効果をより確実に奏させる観点及び、男性用失禁パッド１の屈曲を容易にする観点から、裏面シート１２おける接着領域１８、非接着領域１７、防漏カフ１６の伸縮部Ｎは以下の寸法等であることが好ましい。
非接着領域１７は、男性用失禁パッド１の前方域Ａに位置するが、長手方向Ｘにおいて、前方域Ａを越えて中央域Ｃに部分的に配されていても良い。
【００２１】
前方域Ａに位置する非接着領域１７の長手方向Ｘにおける全長Ｌ１７（図４参照）は、長手方向Ｘにおける前方域Ａの全長ＬＡ（図４参照）に対し、好ましくは５０％以上、より好ましくは７０％以上であり、また好ましくは１００％以下、より好ましくは９８％以下であり、また好ましくは５０％以上１００％以下、より好ましくは７０％以上９８％以下である。
【００２２】
前方域Ａに位置する非接着領域１７の長手方向Ｘにおける全長Ｌ１７（図４参照）は、好ましくは３０ｍｍ以上、より好ましくは５０ｍｍ以上であり、また好ましくは１３０ｍｍ以下、より好ましくは１００ｍｍ以下であり、また好ましくは３０ｍｍ以上１３０ｍｍ以下、より好ましくは５０ｍｍ以上１００ｍｍ以下である。
幅方向Ｙにおける非接着領域１７の長さは、図４に示すように、幅方向Ｙにおける裏面シート１２の長さと同じである。
【００２３】
男性用失禁パッド１は、吸収性本体１０の後方域Ｂ側の端部（後端）側にも非接着領域１７を有していても構わない。この場合、前方域Ａに位置する非接着領域１７の長手方向Ｘにおける全長は、後方域Ｂに位置する非接着領域１７の長手方向Ｘにおける全長よりも長いことが好ましい。
【００２４】
非接着領域１７は前方域Ａ側に位置しているが、図４に示すように、接着領域１８の一部が、前方域Ａと中央域Ｃとの境界を越えて前方域Ａに存在している場合、非接着領域１７は、吸収性本体１０の前方域Ａ側の端部（前端）側に位置していれば良い。接着領域１８は、少なくともその一部が吸収体１３と重なるようにして配されていることが好ましい。また、接着領域１８は、長手方向Ｘにおいて、好ましくは男性用失禁パッド１の中央域Ｃの全域に亘って、より好ましくは中央域Ｃ及び後方域Ｂの全域に亘って配されている。
【００２５】
上述したように、接着領域１８は、長手方向Ｘ及び幅方向Ｙの何れか一方又は双方に、吸収体１３から延出した状態で配されていても良い。長手方向Ｘにおける接着領域１８の全長Ｌ１８（図４参照）は、長手方向Ｘにおける吸収体１３の全長Ｌ１３（図４参照）に対し、好ましくは３０％以上、より好ましくは５０％以上であり、また好ましくは８０％以下、より好ましくは７０％以下であり、また好ましくは３０％以上８０％以下、より好ましくは５０％以上７０％以下である。
【００２６】
幅方向Ｙにおける接着領域１８の長さＷ１８（図４参照）は、幅方向Ｙにおける吸収体１３の長さＷ１３（図４参照）に対し、好ましくは２０％以上、より好ましくは３０％以上であり、また好ましくは１００％以下、より好ましくは８０％以下であり、また好ましくは２０％以上１００％以下、より好ましくは３０％以上８０％以下である。尚、吸収体１３が、図４に示すように、長手方向Ｘに沿って幅方向Ｙにおける長さが変化している場合、上記の幅方向Ｙにおける接着領域１８の長さＷ１８の割合は、接着領域１８が配されている、吸収体１３の幅方向Ｙにおける最大長さＷ１３に応じた割合である。また、図６（ｂ）に示すように、接着領域１８において粘着部１８ａが存在しない部分がある場合、上記の幅方向Ｙにおける接着領域１８の長さＷ１８は、幅方向Ｙにおいて最も外方側に位置する粘着部１８ａどうしを基準にする。即ち、幅方向Ｙにおける接着領域１８の長さＷ１８は、幅方向Ｙにおいて最も外方側に位置する粘着部１８ａどうしの幅方向Ｙの外方端部間の長さを指す。
【００２７】
長手方向Ｘにおける接着領域１８の全長Ｌ１８（図４参照）は、好ましくは４０ｍｍ以上、より好ましくは７０ｍｍ以上であり、また好ましくは２９０ｍｍ以下、より好ましくは２４０ｍｍ以下であり、また好ましくは４０ｍｍ以上２９０ｍｍ以下、より好ましくは７０ｍｍ以上２４０ｍｍ以下である。
【００２８】
幅方向Ｙにおける接着領域１８の長さＷ１８（図４参照）は、好ましくは２０ｍｍ以上、より好ましくは４０ｍｍ以上であり、また好ましくは１５０ｍｍ以下、より好ましくは１００ｍｍ以下であり、また好ましくは２０ｍｍ以上１５０ｍｍ以下、より好ましくは４０ｍｍ以上１００ｍｍ以下である。幅方向Ｙにおける接着領域１８の長さＷ１８は、長手方向Ｘに沿って上記の範囲で変化させても良い。
【００２９】
防漏カフ１６の伸縮部Ｎは、長手方向Ｘにおいて、少なくとも接着領域１８と非接着領域１７とに跨って存在しているが、長手方向Ｘにおける一方の端部固定部１６ｃから他方の端部固定部１６ｃに亘って連続して存在していることが好ましい。
また、接着領域１８に存在する伸縮部Ｎの長さは以下の範囲であることが好ましい。尚、本実施形態のように、伸縮部Ｎが伸張状態の弾性部材１６ｂから構成される場合、伸縮部Ｎの長さは、伸張状態の弾性部材１６ｂの長さを指す。
【００３０】
接着領域１８に存在する伸縮部Ｎの長さＬＮ１８（図４参照）は、長手方向Ｘにおける接着領域１８の全長Ｌ１８に対して、好ましくは１０％以上、より好ましくは１５％以上であり、また好ましくは１００％以下、より好ましくは８０％以下であり、また好ましくは１０％以上１００％以下、より好ましくは１５％以上８０％以下である。
【００３１】
また、非接着領域１７に存在する伸縮部Ｎの長さＬＮ１７（図４参照）は、長手方向Ｘにおける非接着領域１７の全長Ｌ１７に対して、好ましくは３５％以上、より好ましくは５０％以上であり、また好ましくは１００％以下、より好ましくは８０％以下であり、また好ましくは３５％以上１００％以下、より好ましくは５０％以上８０％以下である。
【００３２】
長手方向Ｘにおける防漏カフ１６の伸縮部Ｎの全長ＬＮは、長手方向Ｘにおける吸収体１３の全長Ｌ１３に対し、好ましくは１５％以上、より好ましくは２０％以上であり、また好ましくは９５％以下、より好ましくは８５％以下であり、また好ましくは１５％以上９５％以下、より好ましくは２０％以上８５％以下である。また、防漏カフ１６の伸縮部Ｎは、長手方向Ｘにおいて吸収体１３が存在している領域に亘って存在していることがさらに好ましい。
【００３３】
長手方向Ｘにおける防漏カフ１６の伸縮部Ｎの全長ＬＮは、好ましくは４０ｍｍ以上、より好ましくは６０ｍｍ以上であり、また好ましくは３４０ｍｍ以下、より好ましくは２７０ｍｍ以下であり、また好ましくは４０ｍｍ以上３４０ｍｍ以下、より好ましくは６０ｍｍ以上２７０ｍｍ以下である。
【００３４】
本実施形態の男性用失禁パッド１は、長手方向Ｘにおける防漏カフ１６の両端部間に、長手方向Ｘに沿う弾性部材１６ｂを伸張状態で配することで、伸縮部Ｎを有している。このように、防漏カフ１６の伸縮部Ｎが伸張状態の弾性部材１６ｂから構成される場合、弾性部材１６ｂは、伸縮部Ｎ以外の部分に非伸張状態で配されていても良く、伸縮部Ｎのみに伸張状態で配されていても良い。
また、弾性部材１６ｂに代わって、防漏カフ１６を構成するシート材１６ａが長手方向Ｘに収縮する伸縮性シートであっても良い。伸縮性シートとしては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特許３０５４９３０号公報等を用いることもできる。
【００３５】
本実施形態において接着領域１８は、図４に示すように、長手方向Ｘに沿う縦長の長方形状をしており、幅方向Ｙにおける防漏カフ１６間の略全域に亘って配されているが、図６（ａ）に示すように、吸収体１３の外縁に沿った形状をしていても良い。
また、接着領域１８は、図６（ｂ）に示すように、粘着部１８ａが複数存在し、これら粘着部１８ａどうしが幅方向Ｙに離間した状態で配されていても良い。このように幅方向Ｙにおいて、粘着部１８ａどうしが離間して存在し、該粘着部１８ａ間に粘着部１８ａが存在しない部分がある場合、接着領域１８は、粘着部１８ａ及び粘着部１８ａが存在しない部分を含む。即ち、接着領域１８は、幅方向Ｙにおいて少なくとも一部に粘着部１８ａが存在する領域である。また、非接着領域１７とは、幅方向Ｙの全てにおいて粘着部１８ａが存在しない領域である。このように、接着領域１８と非接着領域１７とは、幅方向Ｙにおける粘着部１８ａの有無により、長手方向Ｘに沿って区別される。
【００３６】
装着作業をより容易にする観点から、男性用失禁パッド１は、自然状態において、非接着領域１７を有する部分が、伸縮部Ｎの収縮により、接着領域１８と非接着領域１７との境Ｅを折り目として折れ曲がった状態となっていることが好ましい〔図５（ｂ）及び（ｃ）参照〕。自然状態とは、男性用失禁パッド１を装着する前の状態である。
また、尿漏れをより抑制する観点から、男性用失禁パッド１は、図５（ｂ）及び（ｃ）に示すように、非接着領域１７と重なる部分が、伸縮部Ｎの収縮により、接着領域１８と相対向するように折れ曲がった状態で使用されることが好ましい。
「非接着領域１７と重なる部分が、接着領域１８と相対向するように折れ曲がった状態」とは、非接着領域１７と接着領域１８とが平面視投影図において重なっていれば良く、非接着領域１７と接着領域１８との間に隙間があっても良い。また、自然状態においても、男性用失禁パッド１は、このように折れ曲がった状態であることが好ましい。
【００３７】
次に、本発明の第２実施形態の男性用失禁パッド１について説明する。第２実施形態の男性用失禁パッド１については、第１実施形態と異なる点について説明し、同様の点については説明を省略する。特に説明しない点については、第１実施形態の男性用失禁パッド１と同様であり、同様の構成要素には同様の符号を付してある。
図７には、本発明の第２実施形態の男性用失禁パッド１が示されている。図７に示す男性用失禁パッド１において、吸収体１３の非肌対向面側には、幅方向Ｙに延びる弾性体が伸張状態で配されている。より具体的には、吸収体１３のコアラップシート１３ｂと裏面シート１２との間に、幅方向Ｙに延びる弾性体１５が伸張状態で配されている。
【００３８】
本実施形態の男性用失禁パッド１において、弾性体１５と、該弾性体１５を挟む部材とは接合されている。より具体的には、弾性体１５を挟むコアラップシート１３ｂと裏面シート１２とが、弾性体１５と接合している。
また、本実施形態の男性用失禁パッド１は、伸張状態の弾性体１５が収縮することにより、吸収性本体１０が幅方向Ｙに収縮可能な収縮領域を有している。幅方向Ｙに延びる弾性体１５が収縮すると、該弾性体１５を挟む部材が、幅方向Ｙの内方に縮むように変形し、これに伴い吸収性本体１０が幅方向Ｙに収縮する。より具体的には、図８（ｂ）に示すように、弾性体１５が幅方向Ｙに収縮することにより、該弾性体１５と接合しているコアラップシート１３ｂと、裏面シート１２とが、幅方向Ｙの内方に収縮するように変形する。これに伴い吸収性本体１０も幅方向Ｙの内方に収縮する。吸収性本体１０が幅方向Ｙに収縮すると、幅方向Ｙにおける防漏カフ１６間の幅が狭まる。そして、図８（ｂ）に示すように、幅方向Ｙにおいて男性器Ｐを起立した防漏カフ１６間で挟みこむことができる。これにより、男性器Ｐを安定して男性用失禁パッド１に収めることができるため、排尿部が吸収体１３の幅方向Ｙ外方にずれることを抑制し、尿漏れの発生を効果的に抑制することができる。また、このような男性用失禁パッド１は、男性器に巻きつけるような操作を要しないため、装着作業が簡便である。
【００３９】
上記の効果をより確実に奏させる観点から、弾性体１５は、長手方向Ｘにおいて、好ましくは前方域Ａ又は中央域Ｃに位置しており、より好ましくは中央域Ｃに位置している。
また、弾性体１５は、長手方向Ｘにおける前方域Ａの端部（前端）から、長手方向Ｘにおける男性用失禁パッド１の全長Ｌの好ましくは１５％以上、より好ましくは２５％以上の位置に配され、また好ましくは５０％以下、より好ましくは３５％以下の位置に配され、また好ましくは１５％以上５０％以下、より好ましくは２５％以上３５％以下の位置に配される（図７参照）。尚、このような位置に配される弾性体１５は、伸張状態で配されることにより、収縮性を有している。
【００４０】
上記の効果をより確実に奏させる観点から、弾性体１５の寸法は下記の範囲であることが好ましい。尚、弾性体１５は、下記の範囲において伸張状態であり、収縮性を有している。弾性体１５は、伸張状態で該弾性体１５を挟む部材に、接着剤等の公知の手段によって固定することで、伸張状態とすることができる。
【００４１】
弾性体１５は、吸収体１３の幅方向Ｙの全域に配されていることが好ましいが、幅方向Ｙの一部に配置しても良く、上記の効果を奏する程度に弾性体１５の収縮により吸収体１３の幅が狭くなれば良い。幅方向Ｙにおける弾性体１５の長さＷ１５ａ〔図８（ａ）参照〕は、幅方向Ｙにおける吸収体１３の長さＷ１３ｃに対して、好ましくは３０％以上、より好ましくは５０％以上であり、また好ましくは１００％以下、より好ましくは９０％以下であり、また好ましくは３０％以上１００％以下、より好ましくは５０％以上９０％以下である。本実施形態の吸収体１３のように、長手方向Ｘ沿って吸収体１３の幅方向Ｙが変化する場合、上記の弾性体１５の長さの割合は、該弾性体１５が配されている長手方向Ｘの位置における、吸収体１３の幅（幅方向Ｙの長さ）である。
【００４２】
幅方向Ｙにおける弾性体１５の長さＷ１５ａ〔図８（ａ）参照〕は、好ましくは２０ｍｍ以上、より好ましくは５０ｍｍ以上であり、また好ましくは１５０ｍｍ以下、より好ましくは１３５ｍｍ以下であり、また好ましくは２０ｍｍ以上１５０ｍｍ以下、より好ましくは５０ｍｍ以上１３５ｍｍ以下である。
尚、前述した通り、弾性体１５は伸張状態で配されているため、上記の幅方向Ｙにおける弾性体１５の長さＷ１５ａは、伸張状態の弾性体１５の長さである。
【００４３】
弾性体１５は、吸収体１３の非肌対向面側に配されていれば良い。本実施形態のように、弾性体１５を、吸収体１３の非肌対向面側に配置すると、該弾性体１５の収縮力を吸収体１３へ伝え易く、幅方向Ｙの内方に向かって吸収性本体１０及び防漏カフ１６を収縮させることができる。この収縮をより容易にする観点から、弾性体１５は、吸収体１３と裏面シート１２との間に配されていることが好ましい。吸収体１３がコアラップシート１３ｂを備える場合は、弾性体１５は、コアラップシート１３ｂと裏面シート１２との間に配されていることが好ましく、コアラップシート１３ｂを備えていない場合は、吸収性コア１３ａと裏面シート１２との間に配されていることが好ましい。この他に、裏面シート１２が複数枚のシートで構成されている場合、該裏面シート１２を構成するシート間に配されていても良く、吸収体１３を構成する吸収性コア１３ａが複数の層からなる積層構造である場合、該吸収性コア１３ａの層間に配されていても良い。
【００４４】
男性用失禁パッド１は、裏面シート１２の非肌対向面側の面に、上述した衣類に固定するための粘着部を有する接着領域１８を有している。上記の男性器Ｐを安定して男性用失禁パッド１に固定する観点から、裏面シート１２の非肌対向面側の面において、弾性体１５と重なる部分には、接着領域１８が存在しないことが好ましい。
【００４５】
尿漏れをより確実に抑制する観点から、第１実施形態のように、防漏カフ１６の伸縮部Ｎと非接着領域１７とを具備することに加え、本実施形態のように、幅方向Ｙに延びる伸張状態の弾性体１５を具備することが好ましい。斯かる構成により、男性用失禁パッド１の非接着領域１７と重なる部分が、伸縮部Ｎの収縮により、接着領域１８と対向するように折れ曲がると共に、男性用失禁パッド１を幅方向Ｙに収縮させることができる。この場合、男性用失禁パッド１の折り曲げと、幅方向Ｙにおける男性用失禁パッド１の収縮とを容易に両立させる観点から、弾性体１５は、長手方向Ｘにおいて、接着領域１８よりも前方域Ａ側に位置していることが好ましく、接着領域１８と非接着領域１７との境Ｅに位置していることがより好ましい。
【００４６】
次に、本発明の第３実施形態の男性用失禁パッド１について説明する。第３実施形態の男性用失禁パッド１については、第２実施形態と異なる点について説明し、同様の点については説明を省略する。特に説明しない点については、第２実施形態の男性用失禁パッド１と同様であり、同様の構成要素には同様の符号を付してある。
【００４７】
図９及び図１０（ａ）には、本発明の第３実施形態の男性用失禁パッド１が示されている。図９に示す男性用失禁パッド１において、吸収体１３のコアラップシート１３ｂと裏面シート１２との間には、幅方向Ｙに延びる弾性体１５が配されている。男性用失禁パッド１は、幅方向Ｙに離間して形成された複数の収縮領域１５ｂを有し、複数の該収縮領域の間は非収縮領域２１を形成している。換言すると、弾性体１５は、非収縮領域２１を挟んで相互に離間した左右の収縮領域を形成している。複数の収縮領域のそれぞれにおける弾性体１５は、該弾性体１５の肌対向面側に隣接する部材である吸収体１３に接合されていない凸部形成領域２２と、該凸部形成領域２２の幅方向Ｙにおける両側に位置し、吸収体１３に接合されている固定領域２０とを有している〔図１０（ａ）参照〕。より具体的には、２本の弾性体１５が、幅方向Ｙにおける吸収体１３の中央部に間隔２１を空けて、伸張状態で配され、収縮領域１５ｂを形成している。この幅方向Ｙにおける吸収体１３の中央部において弾性体１５が配されていない領域が、非収縮領域２１である。ここで、吸収体１３の中央部とは、該吸収体１３を、男性用失禁パッド１の長手方向Ｘに延びる互いに平行な２直線であって且つ該吸収体１３の幅方向Ｙの最大長さ（最大幅ともいう）を３等分する２直線で区分したとき、その中央に位置する部分である。非収縮領域２１は、図９及び図１０（ａ）に示すように、少なくとも吸収体１３の中央部と部分的に重なる位置に存在すればよい。前記２本の弾性体１５は、弾性収縮性を発現する態様で配されており、非収縮領域２１を挟んで相互に離間した左右の収縮領域１５ｂを形成している。
【００４８】
また、本実施形態の弾性体１５は、幅方向Ｙにおける両側端部に吸収体１３と接合している固定領域２０と、該固定領域２０間に吸収体１３と接合していない領域２２とを有している。一方、弾性体１５は、幅方向Ｙにおける該弾性体１５の全域において、裏面シート１２と接合している（不図示）。このような接合態様により、伸張状態の弾性体１５の収縮に伴い、該弾性体１５を挟む部材が、幅方向Ｙの内方に縮むように変形する。この際、吸収体１３における弾性体１５と接合していない領域２２が、厚み方向Ｚにおいて、肌対向面側に向かって凸状に盛り上がるようにして変形する〔図１０（ｂ）参照〕。以下、弾性体１５の収縮により盛り上がる領域２２を、凸部形成領域２２ともいう。本実施形態の弾性体１５は、凸部形成領域２２間で男性器Ｐを挟むようにして固定することができるため、排尿部が吸収体１３の幅方向にずれることを抑制し、尿漏れの発生を効果的に抑制することができる。
【００４９】
上記の効果をより確実に奏させる観点から、収縮領域１５ｂ（弾性体１５）、非収縮領域２１、固定領域２０及び凸部形成領域２２の寸法等は以下の範囲であることが好ましい。尚、収縮領域１５ｂは弾性体１５が弾性収縮性を発現可能な領域である。
【００５０】
幅方向Ｙにおける収縮領域１５ｂの長さＷ１５ｂ〔図１０（ａ）参照〕は、幅方向Ｙにおける吸収体１３の長さＷ１３ｄに対して、好ましくは１５％以上、より好ましくは２５％以上であり、また好ましくは４０％以下、より好ましくは３５％以下であり、また好ましくは１５％以上４０％以下、より好ましくは２５％以上３５％以下である。本実施形態の吸収体１３のように、長手方向Ｘ沿って吸収体１３の幅方向Ｙが変化する場合、上記の弾性体１５の長さの割合は、該収縮領域１５ｂが配されている長手方向Ｘの位置における吸収体１３の幅（幅方向Ｙの長さ）である。
【００５１】
幅方向Ｙにおける収縮領域１５ｂの長さＷ１５ｂ〔図１０（ａ）参照〕は、好ましくは１５ｍｍ以上、より好ましくは２０ｍｍ以上であり、また好ましくは５０ｍｍ以下、より好ましくは４０ｍｍ以下であり、また好ましくは１５ｍｍ以上５０ｍｍ以下、より好ましくは２０ｍｍ以上４０ｍｍ以下である。
【００５２】
幅方向Ｙにおける非収縮領域２１の長さＷ２１〔図１０（ａ）参照〕は、幅方向Ｙにおける吸収体１３の長さＷ１３ｄに対して、好ましくは１５％以上、より好ましくは２０％以上であり、また好ましくは５０％以下、より好ましくは３５％以下であり、また好ましくは１５％以上５０％以下、より好ましくは２０％以上３５％以下である。本実施形態の吸収体１３のように、長手方向Ｘに沿って吸収体１３の幅方向Ｙが変化する場合、上記の非収縮領域２１の割合は、該弾性体１５が配されている長手方向Ｘの位置における吸収体１３の幅（幅方向Ｙの長さ）である。
【００５３】
幅方向Ｙにおける非収縮領域２１の長さＷ２１〔図１０（ａ）参照〕は、好ましくは１５ｍｍ以上、より好ましくは２０ｍｍ以上であり、また好ましくは５０ｍｍ以下、より好ましくは４０ｍｍ以下であり、また好ましくは１５ｍｍ以上５０ｍｍ以下、より好ましくは２０ｍｍ以上４０ｍｍ以下である。
【００５４】
幅方向Ｙにおける固定領域２０の長さＷ２０〔図１０（ａ）参照〕は、幅方向Ｙにおける弾性体１５の長さＷ１５ｂに対して、好ましくは２％以上、より好ましくは４％以上であり、また好ましくは２０％以下、より好ましくは１０％以下であり、また好ましくは２％以上２０％以下、より好ましくは４％以上１０％以下である。
【００５５】
幅方向Ｙにおける固定領域２０の長さＷ２０〔図１０（ａ）参照〕は、好ましくは１ｍｍ以上、より好ましくは２ｍｍ以上であり、また好ましくは１０ｍｍ以下、より好ましくは５ｍｍ以下であり、また好ましくは１ｍｍ以上１０ｍｍ以下、より好ましくは２ｍｍ以上５ｍｍ以下である。
【００５６】
幅方向Ｙにおける凸部形成領域２２の長さＷ２２〔図１０（ａ）参照〕は、幅方向Ｙにおける弾性体１５の長さＷ１５ｂに対して、好ましくは６０％以上、より好ましくは８０％以上であり、また好ましくは９８％以下、より好ましくは９５％以下であり、また好ましくは６０％以上９８％以下、より好ましくは８０％以上９５％以下である。
【００５７】
幅方向Ｙにおける凸部形成領域２２の長さＷ２２〔図１０（ａ）参照〕は、好ましくは１４ｍｍ以上、より好ましくは１８ｍｍ以上であり、また好ましくは４９ｍｍ以下、より好ましくは３８ｍｍ以下であり、また好ましくは１４ｍｍ以上４９ｍｍ以下、より好ましくは１８ｍｍ以上３８ｍｍ以下である。
【００５８】
非収縮領域２１は、幅方向Ｙにおける収縮性を有していなければ良い。非収縮領域２１には、本実施形態のように弾性体１５が配されていなくても良く、弾性体１５が弾性収縮性を発現しない態様で配されていても良い。弾性体１５は、非伸張状態にすることで、弾性収縮性が発現されず、例えば、弾性体１５を１か所又は複数箇所で切断することで、非伸張状態にすることができる。また、１本の弾性体１５が、幅方向Ｙにおける吸収体１３の全長に亘って配される場合、収縮領域１５ｂでは伸張状態で固定され、非収縮領域２１では非伸張状態で固定されている態様が挙げられる。
【００５９】
尿漏れをより確実に抑制する観点から、第１実施形態のように、防漏カフ１６の伸縮部Ｎと非接着領域１７とを具備することに加え、本実施形態のように、凸部形成領域２２と固定領域２０とを有する弾性体１５を、非収縮領域２１を挟むように配して成る、幅方向Ｙに離間して形成された複数の収縮領域１５ｂを具備することが好ましい。斯かる構成により、男性用失禁パッド１が上記のように折れ曲がると共に、吸収体１３の凸部形成領域２２と重なる部分を厚み方向Ｚに盛り上がるように変形させて、男性用失禁パッド１を幅方向Ｙに収縮させることができる。この場合、男性用失禁パッド１の折り曲げと、吸収体１３の変形に伴う男性用失禁パッド１の収縮とを容易に両立させる観点から、弾性体１５は、長手方向Ｘにおいて、接着領域１８よりも前方域Ａ側に位置していることが好ましく、接着領域１８と非接着領域１７との境に位置していることがより好ましい。
【００６０】
吸収体１３は、コア前方域１４Ａ、コア中央域１４Ｃ及びコア後方域１４Ｂが相互に連続している。吸収体１３は、これら各域において同材料から構成されており、各域における坪量が同じであっても良い。上記の第２実施形態又は第３実施形態のように、吸収体１３を収縮又は変形させる際、吸収体１３を柔らかくして、弾性体１５による収縮を容易にする観点から、第２実施形態又は第３実施形態を採用する場合、吸収体１３は、平面視して弾性体１５と重なる部分が、該吸収体を厚み方向に貫通する貫通部及び／又は他の部分に比して低坪量の低坪量部を有していることが好ましい。これにより、吸収性本体１０を幅方向Ｙに収縮させることによる男性器Ｐの固定を容易に行うことができる。
【００６１】
吸収体１３が、平面視して弾性体１５と重なる部分に、該吸収体１３を厚み方向に貫通する貫通部を有する場合、貫通部は長手方向Ｘに延びるスリット状のものが好ましく、該長手方向Ｘにおける長さは、好ましくは１０ｍｍ以上、より好ましくは２０ｍｍ以上であり、また好ましくは８０ｍｍ以下、より好ましくは５０ｍｍ以下であり、また好ましくは１０ｍｍ以上８ｍｍ以下、より好ましくは２０ｍｍ以上５０ｍｍ以下である。
【００６２】
また、吸収体１３は、長手方向Ｘに複数の貫通部が間欠的に並んだ貫通部列を幅方向Ｙに複数列有していることが好ましい。貫通部列における長手方向Ｘに沿う貫通部どうしの間隔は、好ましくは２ｍｍ以上、より好ましくは３ｍｍ以上であり、また好ましくは８ｍｍ以下、より好ましくは５ｍｍ以下であり、また好ましくは２ｍｍ以上８ｍｍ以下、より好ましくは３ｍｍ以上５ｍｍ以下である。幅方向Ｙに沿う貫通部列どうしの間隔は、好ましくは２ｍｍ以上、より好ましくは３ｍｍ以上であり、また好ましくは８ｍｍ以下、より好ましくは５ｍｍ以下であり、また好ましくは２ｍｍ以上８ｍｍ以下、より好ましくは３ｍｍ以上５ｍｍ以下である。
【００６３】
吸収体１３が、平面視して弾性体１５と重なる部分に、他の部分に比して低坪量に形成された低坪量部を有する場合、低坪量部は長手方向Ｘに延びる縦長のものが好ましく、該低坪量部の長手方向Ｘにおける長さは、好ましくは１０ｍｍ以上、より好ましくは２０ｍｍ以上であり、また好ましくは８０ｍｍ以下、より好ましくは５０ｍｍ以下であり、また好ましくは１０ｍｍ以上８０ｍｍ以下、より好ましくは２０ｍｍ以上５０ｍｍ以下である。
【００６４】
また、低坪量部の幅方向Ｙにおける長さは、好ましくは１０ｍｍ以上、より好ましくは２０ｍｍ以上であり、また好ましくは１２０ｍｍ以下、より好ましくは１００ｍｍ以下であり、また好ましくは１０ｍｍ以上１２０ｍｍ以下、より好ましくは２０ｍｍ以上１００ｍｍ以下である。
低坪量部の例として、吸収性コア１３ａの肌対向面側及び非肌対向面側のいずれか一方に開口した底部を有する溝部を形成することが挙げられる。この溝部の開口部分は、吸収性コア１３ａの形成材料からなる層で塞がれていてもよい。
【００６５】
吸収体１３は、男性用失禁パッド１に付加的な機能を付与する目的で、弾性体１５と重なる部分以外の部分において、コア前方域１４Ａ、コア中央域１４Ｃ及びコア後方域１４Ｂの各域の坪量を異ならせてもよい。例えば、コア前方域１４Ａ及びコア中央域１４Ｃにおける親水性の繊維材料や高吸収性ポリマーの坪量が、コア後方域１４Ｂにおけるそれらの坪量よりも多くなるように偏在化させることにより、液の吸収速度が速くなり更に漏れにくくなる。また、親水性の繊維材料や高吸収性ポリマーの坪量を男性着用者の排泄部にあたるコア前方域１４Ａに偏在化させると一層効果を奏する。
【００６６】
更に、各域の少なくとも１つに、貫通部や溝部を形成してもよい。特に、コア中央域１４Ｃに貫通部及び／又は溝部を形成すると、尿の拡散性を高め吸収力が向上し漏れ防止につながる点で有利である。溝部及び／又は貫通孔は、例えば長手方向Ｘに沿って延びるように１条又は複数条形成することができる。
【００６７】
男性用失禁パッド１においては、表面シート１１と吸収体１３との間に、別のシートを配置してもよい。以下、このシートのことを「サブレイヤーシート」と呼ぶこととする。サブレイヤーシートは、男性用失禁パッド１に付加的な機能を付与するために用いられる。付加的な機能の例としては、吸収した尿から発生する臭いの消臭機能や、吸収した尿の逆戻り防止機能などが挙げられる。消臭機能を付与するためには、サブレイヤーシートに、例えば活性炭等の消臭剤を含有させればよい。尿の逆戻り防止機能を付与するためには、例えば繊維存在密度が低く、嵩高な構造の繊維シートをサブレイヤーシートとして用い、表面シート１１と吸収体１３とを離間させるようにすればよい。サブレイヤーシートとしては、親水性シート材料で例えばエアスルー不織布、スパンボンド不織布、立体賦形不織布、開孔フィルム等を用いることができる。また、サブレイヤーシートの坪量は、１５ｇ／ｍ２以上８０ｇ／ｍ２以下であることが好ましい。
【００６８】
サブレイヤーシートは、吸収体１３における表面シート１１との対向面の全域にわたって配置することができ、また該対向面の一部にのみ配置することもできる。該対向面の一部にのみサブレイヤーシートを配置する場合には、吸収体１３における幅方向Ｙの中央の位置に、長手方向Ｘに延びるように配置することができる。この場合、少なくとも中央域Ｃにサブレイヤーシートを配置することが好ましく、中央域Ｃ及び前方域Ａにサブレイヤーシートを配置することがより好ましく、吸収体１３における長手方向全域にわたってサブレイヤーシートを配置することがさらに好ましい。
【００６９】
弾性体１５及び防漏カフ１６に配された弾性部材１６ｂは、例えば糸ゴム、平ゴム、フィルム状のゴムから構成することができる。これらの弾性部材が糸ゴムから構成される場合、複数本を並べて配置することができ、糸ゴムの繊度は、４７０ｄｔｅｘ以上１２４０ｄｔｅｘ以下であることが好ましく、６２０ｄｔｅｘ以上９４０ｄｔｅｘ以下であることがより好ましい。また、防漏カフ１６に配された弾性部材１６ｂとして用いられる糸ゴムの繊度は、弾性体１５として用いられる糸ゴムの繊度の１倍以上１．６倍以下であることが好ましい。
【００７０】
防漏カフ１６の弾性部材１６ｂ及び弾性体１５は、好ましくは２倍以上４倍以下、より好ましくは２．５倍以上３倍以下の伸張倍率である。この範囲の伸張倍率を採用することで、十分な収縮力が発現し、伸縮部Ｎによる男性用失禁パッド１の屈曲や、弾性体１５による吸収性本体１０の収縮をより容易にすることができる。
【００７１】
以上のとおりの男性用吸収性物品は、下着等の衣類の内面に装着したり、あるいはおむつ又はおむつカバーの内面に装着したりする尿吸収のための男性用失禁用パッドとして特に好適なものである。
【００７２】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００７３】
１          男性用失禁パッド
１０      吸収性本体
１１      表面シート
１２      裏面シート
１３      吸収体
１５      弾性体
１５ｂ  収縮領域
１６      防漏カフ
１６ａ  シート材
１６ｂ  弾性部材
１７      非接着領域
１８      接着領域
２０      固定領域
２１      非収縮領域
２２      凸部形成領域
Ａ        前方域
Ｂ        後方域
Ｃ        中央域
Ｎ        伸縮部
Ｘ        長手方向
Ｙ        幅方向
【図１】
2018102747.tif 000003
【図２】
2018102747.tif 000004
【図３】
2018102747.tif 000005
【図４】
2018102747.tif 000006
【図５】
2018102747.tif 000007
【図６】
2018102747.tif 000008
【図７】
2018102747.tif 000009
【図８】
2018102747.tif 000010
【図９】
2018102747.tif 000011
【図１０】
2018102747.tif 000012